(57)【要約】音声認識を通じて構築された個人電話番号簿データベースを利用して音声自動接続サービス方法を提供する。この方法は、各サービス利用者ごとに電話番号に対応する個人用データベースを割り当てる段階と、個人用データベースに氏名テキスト、話し手認証特徴、音声認識氏名特徴、及び着信電話番号を保存する段階と、サービス利用者が電話呼を要求すると、話し手認証特徴を抽出し音声認識サーバ／データベースに送る段階と、話し手認証特徴をもって利用者を認証し、音声認識氏名特徴をもって氏名テキスト、着信電話番号を探し出す段階と、探し出した氏名テキストを確認し、このテキストを利用者に送る段階と、呼を接続させる段階とを含む。
2005502277.tif 000002
【特許請求の範囲】
【請求項１】
公衆電話網において個人電話番号簿音声自動接続サービスであって、
（ａ）  各サービス利用者ごとに個人の電話番号に対応する個人用データベースを割り当てる段階と、
（ｂ）  サービス利用者が入力・貯蔵するために言った人の氏名と押した着信電話番号とを情報にして得た氏名テキスト、話し手認証特徴、話し手従属音声認識氏名特徴、着信電話番号などを発信電話番号をキーとして上記個人用データベースに保存する段階と、
（ｃ）  サービス利用者がサービス識別番号をダイヤリングした後、電話するために言った人の氏名の音声による着信電話番号接続要求に応じて、音声案内及び音声特徴抽出装置にて話し手認証特徴、話し手従属音声認識氏名特徴を抽出し、市内交換機に要求して得た発信電話番号と共に音声認識サーバ／データベースに送る段階と、
（ｄ）  音声認識サーバ／データベースにて上記話し手認証特徴をもって利用者を認証し、話し手従属音声認識氏名特徴をもって氏名テキスト、着信電話番号を探し出す段階と、
（ｅ）  探し出した上記氏名テキストを音声案内及び音声特徴抽出装置に送って、音声案内及び音声特徴抽出装置に音節単位で貯蔵されている音節データベースを検索し、音声認識サーバ／データベースから受信した氏名の音節に組み合わせた後、音声で再生してサービス利用者に送ってサービス利用者に着信者の氏名を確認させる段階と、
（ｆ）  上記確認過程が終わった後、上記（ｃ）及び（ｄ）段階で得た発信電話番号及び着信電話番号を音声認識サーバ／データベースから知能網サービス制御ポイントへ渡す段階と、
（ｇ）  知能網サービス制御ポイントで受信した発信電話番号及び着信電話番号をもって電話接続を制御する段階と、
を含む個人電話番号簿を利用した音声自動接続サービス方法。
【請求項２】
上記（ｂ）段階は、上記個人電話番号簿データベースを構築するにおいて、
（ｈ）  上記音声案内及び音声特徴抽出装置が発信市内交換機に要求して発信電話番号を得る段階と、
（ｉ）  上記音声案内及び音声特徴抽出装置にてサービス利用者が言った氏名の話し手認証特徴、話し手従属音声認識氏名特徴を抽出する段階と、
（ｊ）  上記音声案内及び音声特徴抽出装置にて話し手独立音声認識技術をもってサービス利用者が言った氏名のテキストを抽出し装置運用要員の確認過程を経って氏名テキストを得るか、音声認識特徴抽出ソフトウエアの設置されたサーバにサービス利用者を接続させて個人電話番号簿データベースを一括構築する段階と、
（ｋ）  上記過程より得た発信電話番号、話し手認証特徴、話し手従属音声認識氏名特徴、氏名テキスト及び着信電話番号をパケット網またはインターネット網を通じて音声認識サーバ／データベースへ送る段階と、
（ｌ）  上記過程の後、音声認識サーバ／データベースより音声案内及び音声特徴抽出装置へ氏名テキスト、サービス利用者が押した着信電話番号を送り、音声案内及び音声特徴抽出装置よりサービス利用者へ音声で送って確認させる段階と、
（ｍ）  上記過程が終わった後、発信電話番号をキーとして上記個人用データベースに発信電話番号、氏名テキスト、話し手認証音声特徴、話し手従属音声認識氏名特徴、着信電話番号を保存する段階と、
を含む請求項１に記載の個人電話番号簿を利用した音声自動接続サービス方法。
【請求項３】
上記（ｃ）段階は、上記サービス利用者が個人電話番号簿音声自動接続サービスを利用するときのサービス識別番号を入力するにおいて、
電話をあげた後５秒程待つと市内交換機がすぐ音声案内及び音声特徴抽出装置に接続する待時直通電話方式の第１サービス識別番号入力パターンと、
短縮ダイアルを押せば市内交換機が番号を解読して音声案内及び音声特徴抽出装置に接続する短縮ダイアル方式の第２サービス識別番号入力パターンと、
サービス識別番号を直接押す第３識別番号入力パターンと、
を含んでなる請求項１に記載の個人電話番号簿を利用した音声自動接続サービス方法。
【請求項４】
上記（ｃ）段階は、上記構築された個人電話番号簿データベースを使って音声自動接続サービスを利用するにおいて、
（ｎ）  上記音声案内及び音声特徴抽出装置より発信市内交換機に要求して発信電話番号を得る段階と、
（ｏ）  上記音声案内及び音声特徴抽出装置にてサービス利用者が言った氏名の話し手認証特徴、話し手従属音声認識氏名特徴を抽出する段階と、
（ｐ）  上記過程で得た発信電話番号、話し手認証特徴、話し手従属音声認識氏名特徴をパケット網またはインターネット網を通じて音声認識サーバ／データベースへ送る段階と、
を含んでなる請求項１乃至請求項３のいずれか一つに記載の個人電話番号簿を利用した音声自動接続サービス方法。
【請求項５】
上記（ｄ）段階及び（ｅ）段階は、上記音声認識サーバ／データベースにて受信した発信電話番号をキーとして探し出した情報を処理するにおいて、
（ｑ）  上記過程で探し出した話し手認証特徴と上記過程で受信した話し手認証特徴とを比較して利用者を認証する段階と、
（ｒ）  上記過程で探し出した氏名テキストを上記音声案内及び音声特徴抽出装置へ送って氏名が正確であるか否かを判断する段階と、
（ｓ）  上記過程で探し出した話し手従属音声認識氏名特徴と上記過程で受信した話し手従属音声認識氏名特徴とを比較して着信者電話番号を探す段階と、
を含んでなる請求項１乃至請求項４のいずれか一つに記載の個人電話番号簿を利用した音声自動接続サービス方法。
【請求項６】
上記（ｆ）段階は、
（ｔ）  上記過程で探し出した発信電話番号及び着信電話番号を音声認識サーバ／データベースにて知能網サービス要求メッセージに変換し、パケット網を通じて知能網サービス制御ポイントへ送る段階、
を含んでなる請求項１乃至請求項４のいずれか一つに記載の個人電話番号簿を利用した音声自動接続サービス方法。
【請求項７】
上記第（ｇ）段階は、
（ｕ）  上記過程で音声認識サーバ／データベースからサービス要求メッセージ形態で受信した発信電話番号をもって知能網サービス制御ポイントで発信市内交換機を制御して、着信電話番号をもって知能網サービス制御ポイントで着信市内交換機を制御する段階、
を含んでなる請求項１に記載の個人電話番号簿を利用した音声自動接続サービス方法。
【発明の詳細な説明】
【技術分野】
【０００１】
本発明は、有線電話利用者が電話をかけるとき、有線通信網内の電話やインターネットを使って個人の電話番号簿データベースを構築しておき、構築された個人電話番号簿データベースに登録されている氏名さえ言えば、その氏名にあたる着信電話番号へ電話を自動接続する方法に関するものであり、話し手認証の音声技術、話し手従属の音声認識技術、ＣＣＳ−Ｎ０７信号を支援する知能網技術、実時間サービスを支援するパケット網技術などを利用して、個人電話番号簿音声自動接続サービスを具現する。本発明は、このように具現した個人電話番号簿音声自動接続サービスを公衆電話網を通じていつでもどこでも電話の自動接続に使える方法を提供する。
【背景技術】
【０００２】
今まで一般の有線電話使用者は各個人に係わる電話番号を覚えるために紙の手帳や携帯電話の保存機能などを利用する場合が多かったが、これは不所持や紛失などで不便である。
【０００３】
これを解決するために、有線電話機に音声認識チップを内蔵しておき音声で氏名を言えば電話機内部に構築されたデータベースからその氏名に対応する着信電話番号を探して、電話機より市内電話交換機へ着信電話番号ＭＦＣ信号を送って電話が繋がれるようにする方式があった。しかし、この方式は電話機に音声認識モジュールを構成するための費用、個人データベース管理の不便さなどがあったのみならず、サービス利用方法においても非常に非効率であった。
【０００４】
また、有線電話機に音声認識チップを内蔵しておき音声で氏名を言えば電話機に繋がれたパーソナルコンピュータまたはデータベース用のサーバからその氏名に対応する着信電話番号を探して、電話機より市内電話交換機へ着信電話番号ＭＦＣ信号を送って電話が繋がれるようにする方式もある。この方式は、個人データベースの管理は便利であるが、音声認識モジュールを構成するための費用、電話機と情報貯蔵装置との接続問題などがあるのみならず、サービス利用方法もあまり效率的ではない。
【０００５】
対案として、公衆電話網の交換機に音声認識、音声案内装置及び音声認識データベースを内蔵しておき、有線電話機で氏名を言えばその氏名に対応する電話番号を探して交換機が電話を接続させる方式もある。この方式は交換機に音声認識モジュールを構成して個人電話番号接続機能を具現する方法であるが、網の構成とサービス利用において話し手認証過程を行わず、その認証過程をサービス使用者がパスワード形態で入力することで行うので非常に不便であった。しかも、大規模のサービス利用者のための具現はその具現費用、網の構成、実時間サービス処理能力などで問題がある。
【０００６】
すなわち、上記の従来の各種方式はサービス構成技術、サービ構成費用、サービス利用の便利さなどにおいてかなり問題がある。
【発明の開示】
【発明が解決しようとする課題】
【０００７】
本発明は、上記のような問題点を解決するために、電話を利用して各個人の情報ファイルを各個人名義の発信電話番号、氏名テキスト、話し手認証特徴（ｆｅａｔｕｒｅ）、話し手従属音声認識氏名特徴（ｆｅａｔｕｒｅ）、氏名に対応する着信電話番号から個人電話番号簿を構成して、このような電話番号簿に登録されている着信電話番号へ接続するにおいて、音声認識技術、知能網、パケット網、公衆電話網を利用していつでもどこでも便利に音声で電話接続できるようにすることにその目的がある。
【課題を解決するための手段】
【０００８】
本発明の解決しようとする課題は以上の如くであり、次にこの課題を解決するための手段を説明する。
【０００９】
すなわち、請求項１においては、
公衆電話網において個人電話番号簿音声自動接続サービスであって、
（ａ）  各サービス利用者ごとに個人の電話番号に対応する個人用データベースを割り当てる段階と、
（ｂ）  サービス利用者が入力・貯蔵するために言った人の氏名と押した着信電話番号とを情報にして得た氏名テキスト、話し手認証特徴、話し手従属音声認識氏名特徴、着信電話番号などを発信電話番号をキーとして上記個人用データベースに保存する段階と、
（ｃ）  サービス利用者がサービス識別番号をダイヤリングした後、電話するために言った人の氏名の音声による着信電話番号接続要求に応じて、音声案内及び音声特徴抽出装置にて話し手認証特徴、話し手従属音声認識氏名特徴を抽出し、市内交換機に要求して得た発信電話番号と共に音声認識サーバ／データベースに送る段階と、
（ｄ）  音声認識サーバ／データベースにて上記話し手認証特徴をもって利用者を認証し、話し手従属音声認識氏名特徴をもって氏名テキスト、着信電話番号を探し出す段階と、
（ｅ）  探し出した上記氏名テキストを音声案内及び音声特徴抽出装置に送って、音声案内及び音声特徴抽出装置に音節単位で貯蔵されている音節データベースを検索し、音声認識サーバ／データベースから受信した氏名の音節に組み合わせた後、音声で再生してサービス利用者に送ってサービス利用者に着信者の氏名を確認させる段階と、
（ｆ）  上記確認過程が終わった後、上記（ｃ）及び（ｄ）段階で得た発信電話番号及び着信電話番号を音声認識サーバ／データベースから知能網サービス制御ポイントへ渡す段階と、
（ｇ）  知能網サービス制御ポイントで受信した発信電話番号及び着信電話番号をもって電話接続を制御する段階と、
を含むものである。
【００１０】
請求項２においては、請求項１において、
上記（ｂ）段階は、上記個人電話番号簿データベースを構築するにおいて、
（ｈ）  上記音声案内及び音声特徴抽出装置が発信市内交換機に要求して発信電話番号を得る段階と、
（ｉ）  上記音声案内及び音声特徴抽出装置にてサービス利用者が言った氏名の話し手認証特徴、話し手従属音声認識氏名特徴を抽出する段階と、
（ｊ）  上記音声案内及び音声特徴抽出装置にて話し手独立音声認識技術をもってサービス利用者が言った氏名のテキストを抽出し装置運用要員の確認過程を経って氏名テキストを得るか、音声認識特徴抽出ソフトウエアの設置されたサーバにサービス利用者を接続させて個人電話番号簿データベースを一括構築する段階と、
（ｋ）  上記過程より得た発信電話番号、話し手認証特徴、話し手従属音声認識氏名特徴、氏名テキスト及び着信電話番号をパケット網またはインターネット網を通じて音声認識サーバ／データベースへ送る段階と、
（ｌ）  上記過程の後、音声認識サーバ／データベースより音声案内及び音声特徴抽出装置へ氏名テキスト、サービス利用者が押した着信電話番号を送り、音声案内及び音声特徴抽出装置よりサービス利用者へ音声で送って確認させる段階と、
（ｍ）  上記過程が終わった後、発信電話番号をキーとして上記個人用データベースに発信電話番号、氏名テキスト、話し手認証音声特徴、話し手従属音声認識氏名特徴、着信電話番号を保存する段階と、
を含むものである。
【００１１】
請求項３においては、請求項１において、
上記（ｃ）段階は、上記サービス利用者が個人電話番号簿音声自動接続サービスを利用するときのサービス識別番号を入力するにおいて、
電話をあげた後５秒程待つと市内交換機がすぐ音声案内及び音声特徴抽出装置に接続する待時直通電話方式の第１サービス識別番号入力パターンと、
短縮ダイアルを押せば市内交換機が番号を解読して音声案内及び音声特徴抽出装置に接続する短縮ダイアル方式の第２サービス識別番号入力パターンと、
サービス識別番号を直接押す第３識別番号入力パターンと、
を含んでなるものである。
【００１２】
請求項４においては、請求項１乃至請求項３のいずれか一つにおいて、
上記（ｃ）段階は、上記構築された個人電話番号簿データベースを使って音声自動接続サービスを利用するにおいて、
（ｎ）  上記音声案内及び音声特徴抽出装置より発信市内交換機に要求して発信電話番号を得る段階と、
（ｏ）  上記音声案内及び音声特徴抽出装置にてサービス利用者が言った氏名の話し手認証特徴、話し手従属音声認識氏名特徴を抽出する段階と、
（ｐ）  上記過程で得た発信電話番号、話し手認証特徴、話し手従属音声認識氏名特徴をパケット網またはインターネット網を通じて音声認識サーバ／データベースへ送る段階と、
を含んでなるものである。
【００１３】
請求項５においては、請求項１乃至請求項４のいずれか一つにおいて、
上記（ｄ）段階及び（ｅ）段階は、上記音声認識サーバ／データベースにて受信した発信電話番号をキーとして探し出した情報を処理するにおいて、
（ｑ）  上記過程で探し出した話し手認証特徴と上記過程で受信した話し手認証特徴とを比較して利用者を認証する段階と、
（ｒ）  上記過程で探し出した氏名テキストを上記音声案内及び音声特徴抽出装置へ送って氏名が正確であるか否かを判断する段階と、
（ｓ）  上記過程で探し出した話し手従属音声認識氏名特徴と上記過程で受信した話し手従属音声認識氏名特徴とを比較して着信者電話番号を探す段階と、
を含んでなるものである。
【００１４】
請求項６においては、請求項１乃至請求項４のいずれか一つにおいて、
上記（ｆ）段階は、
（ｔ）  上記過程で探し出した発信電話番号及び着信電話番号を音声認識サーバ／データベースにて知能網サービス要求メッセージに変換し、パケット網を通じて知能網サービス制御ポイントへ送る段階、
を含んでなるものである。
【００１５】
請求項７においては、請求項１において、
上記第（ｇ）段階は、
（ｕ）  上記過程で音声認識サーバ／データベースからサービス要求メッセージ形態で受信した発信電話番号をもって知能網サービス制御ポイントで発信市内交換機を制御して、着信電話番号をもって知能網サービス制御ポイントで着信市内交換機を制御する段階、
を含むものである。
【発明の効果】
【００１６】
本発明の効果として、便利さと迅速さをサービスの第一目標とする有線通信網音声呼サービスを、サービス利用者が便利で速いという認識を持つように、多様な技術及び網を組み合わせて、既存の方法が達成できなかった実時間サービス処理能力及び経済性を持って個人電話番号簿音声自動接続サービスを構築・運用することができる。
【発明を実施するための最良の形態】
【００１７】
以下、添付図面に基づいて本発明にかかる望ましい実施例を詳しく説明する。
図１は、本発明が適用される公衆電話網上の音声案内及び音声特徴抽出装置、音声認識サーバ／データベース、パケット網（またはインターネット網）、知能網などの有機的な構成を示す例示図である。
【００１８】
本発明が適用される公衆電話網上の構成は、電話またはインターネットを利用して構築した各個人の個人電話番号簿を音声認識サーバ／データベース４０、４１に構成し、本発明はこのような個人電話番号簿データベース４１に登録された着信電話番号をサービス利用者が公衆電話網に繋がれている各電話で電話自動接続に便利に使うようにしたサービスである。
【００１９】
本発明が具現しようとする個人電話番号簿自動接続サービスは、サービス利用者が電話機をあげて５秒間待つか（待時直通電話：Ｗａｒｍ  Ｌｉｎｅ）、サービス識別番号を入力するか、サービス識別番号が登録された短縮ダイアル番号（２桁）を押して星印（「＊」）を押せば、「氏名を言ってください」という音声案内を聞いて受け手の氏名さえ言えば、その氏名が正確であるか確認する案内音声を聞いた後、正確であるとの表示として数秒間待てばすぐ電話接続を試みているとの信号としての呼出音を聞くことになる。
【００２０】
上記過程は、サービス利用者が入力したか短縮ダイアル電話または待時直通電話で自動入力されたサービス識別番号を発信市内交換機１０が解読して、音声案内及び音声特徴抽出装置３０に繋がれた音声通話路６２を開ける。音声案内及び音声特徴抽出装置３０は市内交換機１０に発信電話番号を要求して受信した後、ゼロ−スタート（Ｚｅｒｏ  Ｓｔａｒｔ）した案内音（例えば、「氏名を言ってください」）を加入者に送る。
【００２１】
加入者が氏名を言えば音声案内及び音声特徴抽出装置３０はその氏名の話し手認証特徴及び話し手従属音声認識氏名特徴を抽出し、発信市内交換機１０に要求して受信した発信番号と共にパケット網（インターネット網）６６を介して音声認識サーバ／データベース４０、４１へ送る。音声認識サーバ／データベース４０、４１は、受信したデータの発信番号をキーとしてその番号に記憶割当てられたデータベースを検索して、話し手認証音声特徴にて話し手がその発信番号を正当に使う権限があるか否かの認証を経て、また話し手従属音声認識特徴に対応する特徴を持つ氏名テキスト及び着信電話番号を探す。
【００２２】
音声認識サーバ／データベース４０、４１は、探し出した氏名テキストを音声案内及び音声特徴抽出装置３０へ送って、氏名を音節単位に貯蔵している氏名音節データベースから音節単位で探して氏名を再生することによってサービス利用者にその氏名が正確である否かを確認した後、上記過程で得た着信電話番号と受信した発信電話番号とをインターネット６８で連動する知能網のサービス制御ポイント５０に送る。
【００２３】
知能網サービス制御ポイント５０は、受信した発信番号及び着信番号をもって知能網６４を通じて発信市内交換機１０と着信市内交換機２０を制御し、発信電話機１１と着信電話機２１に呼出音を送る。知能網サービス制御ポイント５０は、受け手が着信電話機２１の受話器をあげて電話を受けると同時に、公衆電話網６０を繋げて電話が接続するようにし通話開始時間を管理する。電話が終わると、発信市内交換機１０は通話終了時間を知能網サービス制御ポイント５０に報告し、知能網サービス制御ポイント５０にて通話料金資料が生成されるようにする。
【００２４】
本発明が具現しようとする個人電話番号簿の個人情報を貯蔵する方法は、インターネットを通じて提供された音声認識特徴抽出ソフトウエアを利用して個人情報データベースを作成した後、適切な認証過程を経て音声認識サーバ／データベース４０、４１に一括登録する方法と、電話を使って貯蔵用のサービス識別番号を入力し、案内音声に従って氏名と氏名に対応する着信番号を入力する方法とがある。
【００２５】
上記後者の方法は、サービス利用者が貯蔵用のサービス識別番号を入力すれば、音声案内及び音声特徴抽出装置３０の案内に従って氏名を２〜３回入力し、氏名に対応する着信電話番号を入力すれば、音声案内及び音声特徴抽出装置３０にて話し手認証特徴及び話し手従属音声認識氏名特徴を抽出し、話し手独立の音声認識技術をもって抽出して、サービス運用要員が確認した氏名テキストと発信番号、着信番号を共に音声認識サーバ／データベース４０、４１に送って保存する。貯蔵された氏名テキスト、着信番号をまた音声案内及び音声特徴抽出装置３０へ送って、氏名を音節単位に貯蔵している氏名音節データベースから音節単位で探し氏名を音声で再生して、サービス利用者に送ってその氏名が正確であるか否かの確認過程を経る。上記過程をサービス利用者が必要とするだけ繰り返すようにして、個人電話番号簿データベースを構築する。
【００２６】
図２は本発明による個人電話番号簿サービス方法において、着信電話番号呼出過程にかかる一実施例の流れ図である。
【００２７】
図２に示されるように、本発明による個人電話番号簿音声自動接続サービスは、音声認識サーバ／データベース４０に貯蔵されているサービス利用者情報ファイルの氏名に対応する着信電話番号に接続するために、まずサービス利用者が電話機をあげて数秒間待つか（待時直通電話）、サービス識別番号が入力されている短縮ダイアルを押すか、またはサービス識別番号を押せば（ステップ２００）、市内交換機１０が音声案内及び音声特徴抽出装置３０に接続して（ステップ２０２）、氏名を言ってくださいとの音声案内放送を送る（ステップ２０４）。上記サービス利用者が氏名を音声で言えば、音声案内及び音声特徴抽出装置３０にて氏名の話し手認証特徴及び話し手従属音声認識氏名特徴を抽出して（ステップ２０６）、発信市内交換機１０に要求して得た発信番号と共に音声認識サーバ／データベース４０、４１へ送る。
【００２８】
音声認識サーバ／データベース４０は、受信した発信番号をキーとしてサービス利用者に記憶割当てられたデータベースを検索して（ステップ２０８）、話し手認証特徴をもって話し手認証を経った後、話し手従属音声認識特徴に対応する着信番号及び氏名テキストを探し出す（ステップ２０８）。抽出された着信番号に対応する氏名テキストを音声案内及び音声特徴抽出装置３０に送って、氏名テキストを音節単位で貯蔵されている氏名音節データベースから音節単位で探し、その氏名を音声で再生してサービス利用者に送って入力したサービス要求氏名が正確であるか否かを確認して（ステップ２１０）、抽出された着信番号及び発信番号を知能網サービス制御ポイント５０に送れば（ステップ２１２）、知能網サービス制御ポイント５０が呼を制御して発信電話機と着信電話機を接続させる（ステップ２１４）。
【００２９】
図３は、本発明による個人電話番号簿サービス方法において、個人電話番号簿データベースの貯蔵過程にかかる一実施例の流れ図である。
【００３０】
図３に示されるように、本発明による個人電話番号簿サービスにおいて個人に記憶割当てられたデータベース４１を構築するために、サービス利用者がサービス識別番号を押せば（ステップ３００）、発信市内交換機１０は音声案内及び音声特徴抽出装置３０に繋がれている音声通話路６２を接続させる（ステップ３０２）。音声案内及び音声特徴抽出装置３０は、発信市内交換機１０に発信電話番号を要求して得た後、サービス利用者に「氏名を言ってください」との案内音声を送って（ステップ３０４）氏名を入力させ（ステップ３０６）、「着信電話番号を入力してください」との案内音声を送って（ステップ３０４）着信電話番号を入力させる（ステップ３０６）。
【００３１】
入力された氏名の話し手認証特徴及び話し手従属音声認識氏名特徴を抽出し話し手独立の音声認識技術にて抽出してサービス運用要員が確認した氏名の氏名テキストを、発信番号、着信番号と共に音声認識サーバ／データベース４０、４１に送れば（ステップ３０６）、音声認識サーバ／データベース４０、４１では着信者の氏名確認過程を経て（ステップ３１０）、図４に示されたような個人電話番号簿データベースを構築する（ステップ３０８）。
【００３２】
着信者の氏名確認過程（ステップ３１０）は、抽出された氏名テキストと着信番号を再度音声案内及び音声特徴抽出装置３０に送って、氏名を音節単位に貯蔵されている氏名音節データベースから音節単位で探し氏名を音声で再生して、着信番号と共にサービス利用者に送って正確であるか否かを確認して（ステップ３１０）、その結果によっては再度入力を要求して上記のような過程を経るか、入力が完了したとの案内音声と同時に貯蔵作業を完了する（ステップ３１２）。上記過程をサービス利用者が必要とするだけ繰り返す。
【００３３】
上記過程は、音声案内及び音声特徴抽出装置３０、音声認識サーバ／データベース４０、４１の機能を持つソフトウエアをインターネット上で提供して、サービス利用者がインターネットを通じて一括的に発信電話番号、氏名テキスト、話し手認証特徴、話し手従属音声認識氏名特徴、着信電話番号などを構成・保存するようにすることもできる。
【００３４】
図４ａ及び図４ｂは、本発明による個人電話番号簿音声自動接続サービス方法において、個人電話番号簿データベースを構成する要素の貯蔵形態にかかる一例示である。
【００３５】
図４ａ及び図４ｂに示されるように、一つの発信電話番号に複数の話し手認証特徴（例えば、家族構成員の数だけ）を、一つの話し手認証特徴に複数の氏名テキスト及び話し手従属音声認識氏名特徴（例えば、家族構成員一人の個人情報の数だけ）を、一つの氏名テキスト及び話し手従属音声認識氏名特徴に複数の着信電話番号（例えば、家の電話番号、事務室の電話番号、携帯電話番号など）を登録することができる。すなわち、個人電話番号簿データベースは、市内交換機から得たサービス利用者の発信電話番号をキーとして、発信電話番号、話し手認証音声特徴、氏名テキスト、話し手従属音声認識氏名特徴、着信者電話番号などを保存することによって構築する。
【００３６】
本明細書に記載された実施例と図面に示された構成は、本発明の望ましい一実施例に過ぎず、本発明の技術的思想を制限するものではないので、本出願の時点においてこれらを取り替えることができる多様な均等物と変形例があり得ることを理解すべきであろう。
【図面の簡単な説明】
【００３７】
【図１】本発明が適用される網の構成を示す例示図。
【図２】本発明による個人電話番号簿音声自動接続サービス方法において、着信電話番号呼出し過程にかかる一実施例を示す流れ図。
【図３】本発明による個人電話番号簿音声自動接続サービス方法において、着信電話番号貯蔵過程にかかる一実施例を示す流れ図。
【図４ａ】本発明による個人電話番号簿音声自動接続サービス方法において、音声認識サーバ／データベースに貯蔵される個人情報ファイルの貯蔵内容及びデータ構成方式を例示した図。
【図４ｂ】同じく、本発明による個人電話番号簿音声自動接続サービス方法において、音声認識サーバ／データベースに貯蔵される個人情報ファイルの貯蔵内容及びデータ構成方式を例示した図。
【図１】
2005502277.tif 000003
【図２】
2005502277.tif 000004
【図３】
2005502277.tif 000005
【図４ａ】
2005502277.tif 000006
【図４ｂ】
2005502277.tif 000007
【国際公開パンフレット】
2005502277.tif 000008
2005502277.tif 000009
2005502277.tif 000010
2005502277.tif 000011
2005502277.tif 000012
2005502277.tif 000013
2005502277.tif 000014
2005502277.tif 000015
2005502277.tif 000016
2005502277.tif 000017
2005502277.tif 000018
2005502277.tif 000019
2005502277.tif 000020
2005502277.tif 000021
2005502277.tif 000022
2005502277.tif 000023
2005502277.tif 000024
2005502277.tif 000025
2005502277.tif 000026
2005502277.tif 000027
2005502277.tif 000028
2005502277.tif 000029
2005502277.tif 000030
2005502277.tif 000031
2005502277.tif 000032
2005502277.tif 000033
2005502277.tif 000034
2005502277.tif 000035
2005502277.tif 000036
【国際調査報告】
2005502277.tif 000037
2005502277.tif 000038